(57)【要約】【課題】空気調和機の室内機に搭載する場合などの搭載機器の構成を配慮した低騒音な空気浄化装置を提供することを目的とする。【解決手段】複数の放電電極部を空気流の下流方向から上流方向の向きにおいて放射状に配置させることにより放電音を放射状に分散させ、空気流の上流側における単位空間当りの騒音レベルの低減が可能となる。【選択図】図１
2005103183.tif 000002
【特許請求の範囲】
【請求項１】
放電電極と板状の対向電極からなる放電電極部を複数有し、前記放電電極部に通して浄化対象気体を浄化する空気浄化装置において、前記浄化対象気体の下流方向から上流方向の向きに前記各放電電極部を放射状に配することを特徴とする空気浄化装置。
【請求項２】
前記放電電極部を均等に放射状に配することを特徴とする請求項１記載の空気浄化装置。
【請求項３】
ｎ個の前記放電電極部を９０／（ｎ−１）°ずらして均等に放射状に配することを特徴とする請求項１または２記載の空気浄化装置。
【発明の詳細な説明】
【技術分野】
【０００１】
本発明は、放電することにより空気中の有害物質や臭気成分や埃の除去・微生物の破壊や不活化を行う空気浄化装置に関するものである。
【背景技術】
【０００２】
従来の放電による空気浄化装置は、放電電極に対向して接地電極を設けた空間にて、放電によりイオン化およびオゾン化された気体を発生させて、イオン化およびオゾン化の相乗効果により空間内の微生物の繁殖を防止させ、放電部を通過した気体は装置内に形成された通路を通り、装置外へと排出される。
【０００３】
図４は従来の空気浄化装置を示す。
【０００４】
浄化対象気体５（以下、浄化対象気体を空気流と称す）は、放電電極１と対向電極２からなる放電電極部３を通過するが、空気流は放電電極部３で発生したプラズマ、ラジカル、オゾンと空中で反応して脱臭されて装置外へと放出される。
【０００５】
なお、図４には記載していないが上記のように流れる空気流を形成するために、送風ファンが設けられている。
【発明の開示】
【発明が解決しようとする課題】
【０００６】
しかしながら、上記従来の構成では、例えば、図４のように空気調和機の室内機などに空気浄化装置４が搭載された場合に、各放電電極部３が全て同一方向に配置され、かつ居住空間側に向いているために空気調和機の正面方向での放電音が異常音として認識されるほど顕著に高い、という課題を有していた。
【０００７】
そこで、本発明はこのような従来の課題を解決するものであり、空気調和機の室内機に搭載する場合などの搭載機器の構成を配慮した低騒音な空気浄化装置を提供することを目的とする。
【課題を解決するための手段】
【０００８】
本発明の空気浄化装置は、放電電極と板状の対向電極からなる放電電極部を複数有し、放電電極部に通通して浄化対象気体を浄化する空気浄化装置において、浄化対象気体の下流方向から上流方向の向きに各放電電極部を放射状に配することを特徴とする。
【０００９】
また、前記放電電極部を均等に放射状に配することを特徴とする。
【００１０】
また、ｎ個の放電電極部を９０／（ｎ−１）°ずらして均等に放射状に配することを特徴とする。
【発明の効果】
【００１１】
以上のように本発明の請求項１記載の空気浄化装置によると、複数の放電電極部を空気流の下流方向から上流方向の向きにおいて放射状に配置させることにより、放電電極部にて発生する放電音を放射状に分散させるので、空気流５の上流側において単位空間当りの騒音レベルが低減可能となり、騒音の指向性が緩和され実聴感が改善されるので、実使用レベルにおける騒音レベルの許容値までに余裕ができ放電電極１と対向電極２間に印加する電圧を上げて放電性能を向上させることが可能となり空気浄化装置として高性能化を図
ることができる。
【００１２】
また、本発明の請求項２記載の空気浄化装置によると、放電電極部を空気流の下流方向から上流方向の向きにおいて一定の角度をずらして均等に円弧上に配置させることで音の分散の度合いを一定にすることができるので、実施の形態１と比較しさらに指向性が緩和され、さらに実使用レベルにおける騒音レベルの許容値までに余裕ができることとなり、放電電極１と対向電極２間に印加する電圧をさらに上げて放電性能を向上させることが可能となり空気浄化装置としてさらに高性能化できる。
【００１３】
また、本発明の請求項３記載の空気浄化装置によると、放電電極部を空気流の下流方向から上流方向の向きにおいてずらし角度の総和が９０°になるように円弧上に配置させることで、放電電極部から発生する空気流の上流方向から下流方向への放電音が別の放電電極部の空気流の下流方向から上流方向への放電音に影響を与えないために、実施の形態２と比較しさらに指向性が緩和され一方向での放電音が低減するので、さらに実使用レベルにおける騒音レベルの許容値までに余裕ができることとなり、放電電極１と対向電極２間に印加する電圧をさらに上げて放電性能を向上させることが可能となる、すなわち空気浄化装置としてさらに高性能化を図ることができる。
【発明を実施するための最良の形態】
【００１４】
以下、本発明の各実施の形態を図１〜図３に基づいて説明する。
【００１５】
なお、従来例を示す図４と同様のものには同一の符号を付けて説明する。
【００１６】
（実施の形態１）
図１は本発明の実施の形態１の空気浄化装置を示す。
【００１７】
放電電極部３は、２枚の対向電極２の間に配置されたタングステンまたはステンレスのワイヤーからなる放電電極１とで構成されている。放電電極部３が複数個略並行に、空気流の下流方向から上流方向の向きにおいて放射状に配置されている。なお、図１には記載していないが空気流５を形成するために、送風ファンが設けられている。高周波数の極小パルス幅の高電圧を発生する電源装置（図なし）のプラス電極に放電電極１が接続され、電源装置のマイナス電極に対向電極２が接続され、放電電極１の周りにはパルスストリーマ放電６が発生している。
【００１８】
このパルスストリーマ放電６の発生機構は、電子のなだれの前方で中性分子の電離によって電子が作られ、これが次の新しい電子なだれを起こし、次々とこれらのなだれが合体し高速でなだれが進行するものであり、電流の大部分は電子によるものである。
【００１９】
放電電極１と対向電極２の間の電界は、放電電極１の付近に著しい電界集中があるため、印加電圧が十分であれば電子なだれで多量のイオンと光量子が作り出される。
【００２０】
放電電極１を、プラス電極とすることにより放電電極１の付近では多量の光量子があらゆる方向に放出され付近の中性分子に吸収され、これを電離していくため放電電極１に向かう多数の電子なだれが形成され、正イオン中に流出してプラズマ柱を形成する。
【００２１】
この場合、プラズマにはマイナスやアースに向かう正イオンが高密度で集中し、電界集中のほかに空間電荷と飛散する新しい電子なだれ群の空間電荷との間に特に強力な電界が形成され、これによって発光がさらに促進される。
【００２２】
このようにパルスストリーマ放電６に空気流５を接触させて通過させると、空気流５に
微生物が含まれていると、この微生物はパルスストリーマ放電６の領域を通過中に多量電子の高速飛散により外壁やたんぱく質が破壊される。さらにはＤＮＡやＲＮＡが変形されたりするなどして、微生物は通過中に破壊または不活化され、装置外へと放出される。
【００２３】
ここで、複数の放電電極部３を空気流５の下流方向から上流方向の向きにおいて放射状に配置させてある。図１においては、４個の放電電極部を略放射状に配置させている。このことにより、放電電極部３にて発生する放電音を放射状に分散させている。
【００２４】
このように、放電音を放射状に分散させるので、空気流５の上流側において単位空間当りの騒音レベルが低減可能となり、騒音の指向性が緩和され実聴感が改善されるので、実使用レベルにおける騒音レベルの許容値までに余裕ができ放電電極１と対向電極２間に印加する電圧を上げて放電性能を向上させることが可能となる、すなわち空気浄化装置として高性能化を図ることができる。
【００２５】
（実施の形態２）
実施の形態２の空気浄化装置を示す図２では、放電電極部３を４個、空気流５の下流方向から上流方向の向きにおいてθ1＝θ２＝θ３が成り立つように、すなわち一定の角度をずらして均等に円弧上に配置させてある。
【００２６】
このように、一定角度ずらして配置することで、音の分散の度合いを一定にすることができるので実施の形態１と比較しさらに指向性が緩和されるので、さらに実使用レベルにおける騒音レベルの許容値までに余裕ができることとなり、放電電極１と対向電極２間に印加する電圧をさらに上げて放電性能を向上させることが可能となる、すなわち空気浄化装置としてさらに高性能化できる。
【００２７】
（実施の形態３）
実施の形態３の空気浄化装置を示す図３では、放電電極部３を４個、空気流５の下流方向から上流方向の向きにおいてθ1＝θ２＝θ３かつθ1＋θ２＋θ３＝９０°が成り立つように円弧上に配置させてある。すなわち、３０°という一定角度ずらして円弧状に配置させてある。
【００２８】
このように、実施の形態２にθ1＋θ２＋θ３＝９０°という制限を加えることで、放電電極部３から発生する空気流５の上流方向から下流方向への放電音が別の放電電極部３の空気流５の下流方向から上流方向への放電音に影響を与えないために、実施の形態２と比較しさらに指向性が緩和され一方向での放電音が低減するので、さらに実使用レベルにおける騒音レベルの許容値までに余裕ができることとなり、放電電極１と対向電極２間に印加する電圧をさらに上げて放電性能を向上させることが可能となる、すなわち空気浄化装置としてさらに高性能化を図ることができる。
【図面の簡単な説明】
【００２９】
【図１】本発明の実施の形態１における空気浄化装置の要部の水平断面図
【図２】本発明の実施の形態２における空気浄化装置の要部の水平断面図
【図３】本発明の実施の形態３における空気浄化装置の要部の水平断面図
【図４】従来の空気浄化装置の要部の水平断面図
【図５】従来の空気浄化装置搭載の室内機断面図
【符号の説明】
【００３０】
１  放電電極
２  対向電極
３  放電電極部
４  空気浄化装置
５  浄化対象気体
６  パルスストリーマ放電
θ１、θ２、θ３  放電電極部のずらし角度
【図１】
2005103183.tif 000003
【図２】
2005103183.tif 000004
【図３】
2005103183.tif 000005
【図４】
2005103183.tif 000006
【図５】
2005103183.tif 000007